(57)【要約】  本発明は、生き物をモニタリングするモバイルヘルスケアネットワークを設定するための装置を提供する。この装置は、生き物をモニタリングするホームヘルスケアネットワークにモバイルヘルスケアネットワークの構成を送信するための送信機、コンフィグレーション勧告を受け取るための受信機、及びコンフィグレーション勧告に従ってモバイルヘルスケアネットワークのパラメータをアレンジするためのアレンジャーを有し、コンフィグレーション勧告は、モバイルヘルスケアモニタリングネットワークの構成及びホームヘルスケアモニタリングネットワークの履歴データベースに対応する。
2009535885.tif 000002
【特許請求の範囲】
【請求項１】
生き物をモニタリングするモバイルヘルスケアネットワークを設定する装置であって、
前記生き物をモニタリングするホームヘルスケアネットワークに前記モバイルヘルスケアネットワークの構成を送信する送信機、
コンフィグレーション勧告を受信する受信機、及び
前記コンフィグレーション勧告に従って前記モバイルヘルスケアネットワークの設定パラメータをアレンジするアレンジャーを有し、
前記コンフィグレーション勧告が、前記モバイルヘルスケアネットワークの前記構成及び前記ホームヘルスケアネットワークの履歴データベースに対応する装置。
【請求項２】
前記モバイルヘルスケアネットワークの前記構成を検出する検出器をさらに有する請求項１に記載の装置。
【請求項３】
前記モバイルヘルスケアネットワークの前記構成が、前記生き物の体上又はその中に配置されたセンサの種類を含む請求項１に記載の装置。
【請求項４】
前記モバイルヘルスケアネットワークの前記構成が、各々の種類の前記センサの個数をさらに含む請求項３に記載の装置。
【請求項５】
前記モバイルヘルスケアネットワークの前記構成が、各々のセンサのステータスをさらに含む請求項３に記載の装置。
【請求項６】
ホームネットワークからモバイルヘルスケアネットワークに生き物をモニタリングするアプリケーションをハンドオーバする装置であって、
前記モバイルヘルスケアネットワークの構成を受信する受信機、
前記モバイルヘルスケアネットワークの前記構成及び前記ホームヘルスケアネットワークの履歴データベースに従ってコンフィグレーション勧告を生成する発生器、及び
前記モバイルヘルスケアネットワークに前記コンフィグレーション勧告を送信する送信機を有する装置。
【請求項７】
生き物をモニタリングするモバイルヘルスケアネットワークを設定する方法であって、
前記生き物をモニタリングするホームヘルスケアネットワークに前記モバイルヘルスケアネットワークの構成を送信するステップ、
コンフィグレーション勧告を受信するステップ、及び
前記コンフィグレーション勧告に従って前記モバイルヘルスケアネットワークの設定パラメータをアレンジするステップを有し、
前記コンフィグレーション勧告が、前記モバイルヘルスケアネットワークの前記構成及び前記ホームヘルスケアネットワークの履歴データベースに対応する方法。
【請求項８】
ホームネットワークからモバイルヘルスケアネットワークに生き物をモニタリングするアプリケーションをハンドオーバする方法であって、
前記モバイルヘルスケアネットワークの構成を受信するステップ、
前記モバイルヘルスケアネットワークの前記構成及び前記ホームヘルスケアネットワークの履歴データベースに従ってコンフィグレーション勧告を生成するステップ、及び
前記モバイルヘルスケアネットワークに前記コンフィグレーション勧告を送信するステップを有する方法。
【請求項９】
生き物をモニタリングするモバイルヘルスケアネットワークを設定するためのコンピュータプログラムであって、
前記生き物をモニタリングするホームヘルスケアネットワークに前記モバイルヘルスケアネットワークの構成を送信するためのコード、
コンフィグレーション勧告を受信するためのコード、及び
前記コンフィグレーション勧告に従って前記モバイルヘルスケアネットワークの設定パラメータをアレンジするためのコードを有し、
前記コンフィグレーション勧告が、前記モバイルヘルスケアモニタリングネットワークの前記構成及び前記ホームヘルスケアネットワークの履歴データベースに対応するコンピュータプログラム。
【請求項１０】
ホームネットワークからモバイルヘルスケアネットワークに生物をモニタリングするアプリケーションをハンドオーバするためのコンピュータプログラムであって、
前記モバイルヘルスケアネットワークの構成を受信するためのコード、
前記モバイルヘルスケアネットワークの前記構成及び前記ホームヘルスケアネットワークの履歴データベースに従ってコンフィグレーション勧告を生成するためのコード、及び
前記モバイルヘルスケアネットワークに前記コンフィグレーション勧告を送信するためのコードを有するコンピュータプログラム。
【発明の詳細な説明】
【技術分野】
【０００１】
本発明は、一般に、ヘルスケアデータをモニタリングする技術に関し、特に、モバイルヘルスケアネットワークによるヘルスケアデータのモニタリングに関する。
【背景技術】
【０００２】
最近ますます、個人のヘルスケアデータをモニタリングするための技術が提案され、それらのうちのいくつかは、中央ヘルスケアデータベースと通信することができる、人体上や人体の中に展開されるモバイルヘルスケアネットワークによって、遠隔でモニタリングする。
【０００３】
モバイルヘルスケアネットワークは、人の健康パラメータ（例えば血圧、脈拍、血中脂質量、呼吸など）を検出するための各種の機能を実行する各種のバイオセンサを含むことができる。
【０００４】
米国特許US6,485,418 B2（発明者：ミツオヤスシ等、譲受人：パイオニア社、特許発行日：2002年11月26日）は、ヘルスケアモニタリングシステムを開示する。健康がモニタリングされる人と一緒に動く少なくとも１つの端末装置と第１の中央装置との間の通信のための健康モニタシステムである。端末装置は、人の健康パラメータを検出して、検出の結果に従って人の健康の状態を診断して、第１の中央装置に診断の結果を送信する。第１の中央装置は、人に関する診断情報履歴を記憶し、端末装置から診断の結果を受け取り、診断の結果及び診断情報履歴に従って人の健康の状態に関する詳細なデータが必要かどうかを判断し、詳細なデータが必要であると判断する場合、端末装置に詳細なデータの要求命令を発行する。
【発明の開示】
【発明が解決しようとする課題】
【０００５】
診断を行うために、モバイルヘルスケアネットワークによって収集されたデータと中央データベースの履歴データとの両方を如何に十分活用すべきかが実質上研究されたが、ホームヘルスケアネットワークとモバイルヘルスケアネットワークとの間のハンドオーバをよりスムーズに行う必要性が、特にモバイルネットワークの構成が時間とともに変化する場合に、存在する。
【課題を解決するための手段】
【０００６】
上記の必要性に対処することができる改善されたヘルスケアモニタリングシステムを提供することが本発明の要求である。
【０００７】
この要求は、生き物をモニタリングするモバイルヘルスケアネットワークを設定する装置において対処される。この装置は、生き物をモニタリングするホームヘルスケアネットワークにモバイルヘルスケアネットワークの構成を送信するための送信機、コンフィグレーション勧告を受け取るための受信機、及びコンフィグレーション勧告に従ってモバイルヘルスケアネットワークの設定パラメータをアレンジするためのアレンジャーを有し、コンフィグレーション勧告は、モバイルヘルスケアモニタリングネットワークの構成及びホームヘルスケアモニタリングネットワークの履歴データベースに対応する。
【０００８】
本発明の一実施例によれば、装置はモバイルヘルスケアネットワークの構成を検出するための検出器をさらに含む。モバイルヘルスケアモニタリングネットワークの構成及びホームヘルスケアモニタリングネットワークの履歴データベースに基づくコンフィグレーション勧告を採用することによって、モバイルヘルスケアネットワークのパラメータは、生き物の現在の状況に対してより適応性が高く、適していることができる。
【０００９】
前記要求はまた、生き物をモニタリングするアプリケーションを、ホームヘルスケアネットワークからモバイルヘルスケアネットワークへハンドオーバするための装置によって対処される。この装置は、モバイルヘルスケアネットワークの構成を受け取るための受信機、モバイルヘルスケアネットワークの構成及びホームヘルスケアネットワークの履歴データベースに従ってコンフィグレーション勧告を生成するための発生器、及びコンフィグレーション勧告をモバイルヘルスケアモニタリングネットワークに送信するための送信機を有する。
【００１０】
本発明の一実施例によれば、モバイルヘルスケアネットワークの構成は、生き物の体上に又はその中に配置されたセンサの種類を含む。
【００１１】
本発明の他の実施例によれば、モバイルヘルスケアネットワークの構成は、各々の種類のセンサの個数を更に含む。
【００１２】
本発明のさらに別の実施の形態によれば、モバイルヘルスケアネットワークの構成は、各々のセンサのステータスを更に含む。
【００１３】
本発明のより十分な理解と共に他の目的及び業績は、添付の図面に関連して以下の説明及び請求の範囲を参照することによって、明らかになり、理解される。
【発明を実施するための最良の形態】
【００１４】
本発明は、添付の図面を参照して一例としてさらに詳細に説明される。図面を通して、同じ参照番号は、同様の又は対応する特徴又は機能を示す。
【００１５】
図1は、本発明の一実施例によるコンフィグレーション装置の概略図である。コンフィグレーション装置100は、モバイルヘルスケアネットワークの一部であることができる。
【００１６】
モニタリングされている人間が自宅にいる場合、ホームヘルスケアネットワークがこのモニタリングを処理し、ホームヘルスケアネットワークは、大きなヘルスケア履歴データベース、強力なデータ処理能力、家中に及び人間の体上に又はその中に散在する多くのセンサなどのような、このタスクを実行するための非常に豊富なリソースを持つことができる。モニタリングされている人間が家の外（例えば公園）にいる場合、モバイルヘルスケアネットワークがモニタリングを処理し、モバイルヘルスケアネットワークは、このタスクを実行するための限られたリソースしか持たない場合があり、例えば、いくつかのセンサのみが人間によって運ばれる。
【００１７】
モバイルヘルスケアネットワークは、体温、血圧、脈拍、血中脂質量、呼吸などの人の健康パラメータを検出するための各種の機能を実行する各種のバイオセンサを含むことができる。それはまた、周囲の温度、気圧、湿度などの、人がいる環境の環境データを検出する各種の環境センサを含むことができる。
【００１８】
モバイルヘルスケアネットワークのセンサは、モニタリングされている人間又はモニタリングされている動物の体上に又はその中に配置されることができる。センサは、人間の携帯電話に無線で接続されることができ、そして携帯電話は、ヘルスケア履歴データベースを持っているホームヘルスケアネットワークと通信することができる。いくつかの環境センサは、携帯電話に物理的に組み込まれることもできる。
【００１９】
携帯電話は、モバイルヘルスケアネットワークを管理することに専念する特定のモバイルヘルスケアモニタリング装置によって、そのモバイルヘルスケアモニタリング装置がセンサ及びホームヘルスケアネットワークと通信することができさえすれば、置き換えられることができる。モバイルヘルスケアモニタリング装置は、データ処理及びデータ記憶のなんらかの能力を持つことができ、コンフィグレーション装置100は、モバイルヘルスケアモニタリング装置の一部であることができる。
【００２０】
コンフィグレーション装置100は、送信機120、受信機130及びアレンジャー140を含む。それは、検出器110をさらに含むことができる。
【００２１】
送信機120は、人間をモニタリングしているホームヘルスケアネットワークにモバイルヘルスケアネットワークの構成を送信する。モバイルヘルスケアネットワークの構成は、検出器110から入手されることができ、それはコンフィグレーション装置100のユーザインタフェース（図示せず）を介して手動で入力されることもできる。
【００２２】
モバイルヘルスケアネットワークの構成は、人間の体上に又はその中に配置されるセンサの種類を含む。
【００２３】
モニタリングされている人間がホームヘルスケアネットワークを出るたびに、どんな種類のヘルスケアデータが収集されなければならないかについてのいろいろな要求が存在する可能性がある。したがって、モバイルネットワークは、その要求を達成するためにセンサのいろいろなセットを含まなければならない。
【００２４】
例えば最後に、モニタリングされている人が公園をジョギングする間にどれくらいのカロリーを消費するのかを知ることを望んだので、カロリーセンサが組み込まれた。今度は、モニタリングされている人に呼吸系疾患があるので、呼吸センサが組み込まれる。
【００２５】
モバイルヘルスケアネットワークの構成は、各種のセンサの個数をさらに含む。例えば、２つの圧力センサ（一方が左足の下、他方が右足の下）が含まれる。
【００２６】
モバイルヘルスケアネットワークの構成は、各々のセンサのステータスをさらに含む。各々のセンサは、データ処理、データ記憶、通信及び電力の異なる能力/利用可能度を持つ場合がある。
【００２７】
モバイルヘルスケアネットワークは、センサの異なる種類/量/ステータスの動的な組み合わせを持つことができる。それは、（例えば、体温センサ、脈拍センサを含む）センサの基本的なセットを持つことができ、そして特定のモニタリング目的に基づいて選択されるいくつかのオプションのセンサを持つことができる。
【００２８】
受信機130はコンフィグレーション勧告を受け取り、コンフィグレーション勧告は、モバイルヘルスケアモニタリングネットワークの構成及びホームヘルスケアモニタリングネットワークの履歴データベースに対応する。
【００２９】
コンフィグレーション勧告は、モバイルヘルスケアネットワークの各々のセンサ又は各々の種類のセンサのいくつかの設定パラメータ（例えばサンプリング頻度、報告頻度、異常な健康データの報告閾値など）を含むことができる。例えば、呼吸センサに対して、サンプリング頻度は通常の状況の下では２分ごとに１回であり、報告頻度は通常の状況の下では４分ごとに１回であり、モニタリングされている人が何らかの運動を行っていない場合（他のセンサが、人が何らかの運動を行っているかについての追加の情報を提供することができる）、異常状態の報告閾値は毎分２５回の呼吸である。
【００３０】
コンフィグレーション勧告は、将来の使用のためにコンフィグレーション装置100の記憶装置（図示せず）中に保存されることができる。次の機会に、検出器110がモバイルヘルスケアモニタリングネットワークの構成のいかなる変更をも発見しない場合、ユーザが履歴データを考慮することを望まないならば、コンフィグレーションプロセス全体を再び行う代わりに、設定パラメータをそのまま用いてもよい。
【００３１】
送信機120及び受信機130は、モバイルヘルスケアネットワーク及びホームヘルスケアネットワークが通信チャネルを確立することができ、データ転送を達成することができる限り、任意の現在の又は将来の有線/無線通信装置の一部であることができる（例えばインターネット接続、イントラネット接続、GSM（登録商標）、Bluetooth（登録商標）、Wi-Fi（登録商標）など）。
【００３２】
アレンジャー140は、コンフィグレーション勧告が示すように各々のセンサが機能することができるように、コンフィグレーション勧告に従ってモバイルヘルスケアモニタリングネットワークの設定パラメータをアレンジする。
【００３３】
例えば、呼吸センサは、通常の状況の下では２分毎に、モニタリングされている人の呼吸データを集め、通常の状況の下では４分毎に、ホームヘルスケアネットワークに集められたデータを報告し、そして、人の呼吸速度が毎分２５回を超え、その人が何らかの運動をしていない場合には、呼吸センサは、その人及びホームヘルスケアネットワークにこの異常な状況を報告する。
【００３４】
検出器110は、モバイルヘルスケアネットワークの構成を検出する。検出器110は、いかなるメンバセンサがモバイルヘルスケアネットワークに参加しているのかを調べるためのメッセージを積極的に送ることができ、又は、モバイルヘルスケアネットワークに参加するメンバセンサによって積極的に送られたメッセージを受動的に受け取ることができる。
【００３５】
この実施の形態のホームネットワークは、モニタリングされている人の家以外の、彼/彼女が生活している任意の他の場所（例えば、病棟、サナトリウム、レストホーム（rest home）など）でもよいことが理解できる。
【００３６】
本発明の要求は、生き物をモニタリングするモバイルヘルスケアネットワークを設定するためのコンピュータプログラムによって提供される適切にプログラムされたコンピュータによって実現されることもできる。生き物をモニタリングするモバイルヘルスケアネットワークを設定するためのコンピュータプログラム製品は、生き物をモニタリングするホームヘルスケアネットワークにモバイルヘルスケアネットワークの構成を送信するためのコード、コンフィグレーション勧告を受け取るためのコード、及びコンフィグレーション勧告に従ってモバイルヘルスケアネットワークの設定パラメータをアレンジするためのコードを有し、コンフィグレーション勧告は、モバイルヘルスケアモニタリングネットワークの構成及びホームヘルスケアネットワークの履歴データベースに対応する。
【００３７】
そのようなコンピュータプログラム製品は、記憶担体に記憶されることができる。
【００３８】
プログラムコードのこれらの部分は、マシンを生み出すためにプロセッサに提供されることができ、プロセッサ上で実行されるコードは、上記のように特定される機能を実現するための手段を構築する。
【００３９】
図2は、本発明の他の実施例によるハンドオーバ装置の概略図である。ハンドオーバ装置200は、ホームヘルスケアネットワークの一部であることができる。
【００４０】
モニタリングされている人が彼/彼女の家を出るときに、人をモニタリングするアプリケーションは、ホームヘルスケアネットワークから、その人によって運ばれるモバイルヘルスケアネットワークに移される必要がある。
【００４１】
人の退出行動は、ホームヘルスケアネットワークの何らかのセンサ（例えば、メインゲートのカーペットの下の圧力センサ、又はメインゲート上に設置されたモーションカメラ）によって検出されることができる。
【００４２】
ハンドオーバ装置200は、受信機210、発生器220及び送信機を含む。それは、記憶装置240を含むこともできる。
【００４３】
受信機210は、モバイルヘルスケアネットワークの構成を受け取る。モバイルヘルスケアネットワークの構成は、生き物の体上に又はその中に配置されたセンサの種類を含み、さらに各々の種類のセンサの個数及び/又は各々のセンサのステータスを含むこともできる。
【００４４】
発生器220は、モバイルヘルスケアネットワークの構成及びホームヘルスケアネットワークの履歴データベースに従ってコンフィグレーション勧告を生成する。
【００４５】
コンフィグレーション勧告は、ヘルスケア履歴データベースが新たな健康データによって頻繁に更新されるためにヘルスケア履歴データベースの変化するデータによって変化するだけでなく、モバイルヘルスケアネットワークの異なる構成によっても変化する。
【００４６】
例えば、ヘルスケア履歴データが、モニタリングされている人が心臓の問題に苦しんでいることを示す場合、モバイルヘルスケアネットワークの心臓に関するセンサのサンプリング頻度は、通常の状況よりも高いレベルに増加しなければならない。
【００４７】
大容量の記憶装置を備えたセンサがモバイルヘルスケアネットワーク中に含まれる場合、センサの報告頻度は低減されることができる。
【００４８】
また、あるセンサの残存電力が低いレベルである場合、そのサンプリング頻度及び報告頻度は低減されることができる。
【００４９】
コフィグレーション勧告とヘルスケアネットワークの構成とヘルスケア履歴データとの間の関係を反映することができる多くの他のサンプル/ルールが存在する。
【００５０】
送信機230は、コンフィグレーション勧告をモバイルヘルスケアモニタリングネットワークに送信する。
【００５１】
受信機210及び送信機230は、モバイルヘルスケアネットワーク及びホームヘルスケアネットワークが通信チャネルを確立することができ、データ転送を達成することができる限り、任意の現在の又は将来の有線/無線通信装置の一部であることができる（例えばインターネット接続、イントラネット接続、GSM（登録商標）、Bluetooth（登録商標）、Wi-Fi（登録商標）など）。
【００５２】
記憶装置240は、ヘルスケアデータベースのヘルスケア履歴データを記憶する。それは、不揮発性フラッシュメモリカードである。それはまた、任意の他の記憶装置（例えばハードディスク、フロッピー（登録商標）ディスクなど）であることができる。
【００５３】
受信機210はユーザ入力装置であることもでき、モバイルヘルスケアネットワークの構成が受信機210を介して手動で入力されることができることが理解できる。
【００５４】
本発明の要求はまた、ホームネットワークからモバイルヘルスケアネットワークへ生き物をモニタリングするアプリケーションをハンドオーバするためのコンピュータプログラムによって提供される適切にプログラムされたコンピュータによって対処されることができる。ホームネットワークからモバイルヘルスケアネットワークへ生き物をモニタリングするアプリケーションをハンドオーバするためのコンピュータプログラムは、モバイルヘルスケアネットワークの構成を受け取るためのコード、モバイルヘルスケアネットワークの構成及びホームヘルスケアネットワークの履歴データベースに従ってコンフィグレーション勧告を生成するためのコード、及びモバイルヘルスケアモニタリングネットワークにコンフィグレーション勧告を送信するためのコードを有する。
【００５５】
そのようなコンピュータプログラム製品は、記憶担体に記憶されることができる。
【００５６】
プログラムコードのこれらの部分は、マシンを生み出すためにプロセッサに提供されることができ、プロセッサ上で実行されるコードは、上記のように特定される機能を実現するための手段を構築する。
【００５７】
図3は、本発明の他の実施例によるホームヘルスケアネットワークとモバイルヘルスケアネットワークとの間のハンドオーバプロセスを説明するフローチャートである。
【００５８】
最初に、ホームヘルスケアネットワークは、モニタリングされている人が家を出ようとしているかを検出する（ステップS302）。Yesの場合は、ホームヘルスケアネットワークはモバイルヘルスケアネットワークに活性化信号を送信し（ステップS304）、それで、その人によって運ばれるモバイルヘルスケアネットワークは活性化される（ステップS306）。
【００５９】
それで、モバイルホームネットワークはその構成を検出する（ステップS310）。モバイルヘルスケアネットワークの構成は、人間の体上に又はその中に配置されたセンサの種類を含み、さらに各々の種類のセンサの個数及び/又は各々のセンサのステータスを含むこともできる。そして、モバイルヘルスケアネットワークの構成は、ホームヘルスケアネットワークに送信される（ステップS320）。
【００６０】
モバイルヘルスケアネットワークの構成を受け取った後に、ホームネットワークは、モバイルヘルスケアネットワークの構成及びホームヘルスケアネットワークの履歴データベースに従ってコンフィグレーション勧告を生成する（ステップS330）。それで、コンフィグレーション勧告は、モバイルヘルスケアネットワークに送信される（ステップS340）。
【００６１】
最終的に、モバイルヘルスケアネットワークは、モバイルヘルスケアネットワークの全てのセンサが、モニタリングアプリケーションを実行するように適切に機能することができるように、コンフィグレーション勧告に従ってそのセンサの設定パラメータをアレンジする（ステップS350）。
【００６２】
本発明が特定の実施の形態に関連して説明されたが、多くの変形例、修正及びバリエーションが前述の説明を考慮して当業者にとって明らかである。したがって、全てのそのような変形例、修正及びバリエーションを、添付の請求の範囲内として包含することが意図される。
【図面の簡単な説明】
【００６３】
【図１】本発明の一実施例によるコンフィグレーション装置の概略図。
【図２】本発明の他の実施例によるハンドオーバ装置の概略図。
【図３】本発明の他の実施例によるホームヘルスケアネットワークとモバイルヘルスケアネットワークとの間のハンドオーバプロセスを説明するフローチャート。
【図１】
2009535885.tif 000003
【図２】
2009535885.tif 000004
【図３】
2009535885.tif 000005
【国際調査報告】
2009535885.tif 000006
2009535885.tif 000007
2009535885.tif 000008